(57)【要約】【課題】時刻情報を取得するために行う電波の受信に伴う消費電力量を抑制することによって、電池寿命が短くなることを抑制する受信装置および受信方法を提供する。【解決手段】受信部１０は、時刻情報を含み一定時間間隔で送信される符号化されたＲＦ信号を、アンテナを介して受信する。復調部１１は、受信されたＲＦ信号に対して所定の信号処理を行って情報データを復調する。時刻情報取得部１２は、復調された情報データから時刻情報を取得する。取得判定部１５は、時刻情報取得部１２が時刻情報を取得したか否かを判定し、電源制御部１６に対して判定結果に応じた制御信号を送信する。電源制御部１６は、受信部１０が消費する消費電力量を、制御信号に基づいて通常値又は通常値よりも所定量少ない低電力値のいずれかに制御する。【選択図】図２
2008275493.tif 000002
【特許請求の範囲】
【請求項１】
取得対象の情報データを含む電波を受信する受信部と、
前記受信した電波から、前記情報データを取得する取得部と、
前記取得部が前記情報データを取得できたか否かを判定する取得判定部と、
前記受信部が消費する消費電力量を、通常値又は当該通常値よりも少ない低電力値のいずれかに制御する電力制御部と、を備え、
前記電力制御部は、
前記消費電力量を前記低電力値に制御したのち、前記受信部による受信において、前記取得判定部が前記情報データを取得できなかったと判定したとき、前記受信部による次回の受信において、前記消費電力量を前記通常値に制御することを特徴とする受信装置。
【請求項２】
請求項１に記載の受信装置であって、
前記受信部は、前記取得判定部が前記情報データを取得できなかったと判定したとき、前記通常値の消費電力量による前記次回の受信を、前記低電力値の消費電力量による前記受信に継続して行うことを特徴とする受信装置。
【請求項３】
請求項１または２に記載の受信装置であって、
前記電力制御部は、前記受信部による受信において、前記取得判定部が前記情報データを取得できなかったと判定する回数が、前記低電力値を用いた前記受信部が消費する消費電力量の合計が前記通常値を超えない最多回数より１回少ない回数まで、連続して前記低電力値に制御することを特徴とする受信装置。
【請求項４】
請求項１ないし３のいずれか一項に記載の受信装置であって、
前記電力制御部は、前記受信部による受信において、前記通常値に対する前記低電力値の比を、整数比に設定することを特徴とする受信装置。
【請求項５】
請求項１ないし４のいずれか一項に記載の受信装置であって、
前記電力制御部は、前記受信部が消費する電流値を変更することによって、前記通常値の消費電力量と前記低電力値の消費電力量とを制御することを特徴とする受信装置。
【請求項６】
請求項１ないし５のいずれか一項に記載の受信装置であって、
前記取得対象の情報データは標準時刻を表す情報データであることを特徴とする受信装置。
【請求項７】
請求項６に記載の受信装置を有する電波時計。
【請求項８】
取得対象の情報データを含む電波を受信する受信工程と、
前記受信した電波から、前記情報データを取得する取得工程と、
前記取得工程で前記情報データを取得できたか否かを判定する取得判定工程と、
前記受信工程で消費する消費電力量を、通常値又は当該通常値よりも少ない低電力値のいずれかに制御する電力制御工程と、を備え、
前記電力制御工程は、
前記消費電力量を前記低電力値に制御したのち、前記受信工程による受信において、前記取得判定工程が前記情報データを取得できなかったと判定したとき、前記受信工程による次回の受信において、前記受信工程の消費電力量を前記通常値に制御することを特徴とする受信方法。
【発明の詳細な説明】
【技術分野】
【０００１】
本発明は、受信装置、受信方法および電波時計に関し、特に、取得対象の情報データを含む電波を受信し、当該情報データを取得する受信技術に関するものである。
【背景技術】
【０００２】
近年、通信技術の発達に伴い、受信装置側で必要となる種々の情報を含むデータ信号を変調し、所定の無線周波数（ＲＦ）信号として送信装置側から電波送信することが行われるようになった。そして、送信される電波を受信して、復調した種々のデータ信号から取得対象の情報データを取り出して活用することが、受信装置側で行われるようになってきた。例えば、計時手段を有する受信装置としての腕時計に対して、所定の基地局から、取得対象の情報データとなる標準時刻を時刻情報として含むデータ信号が、一定の時間間隔で電波送信されている。そこで、この送信されている電波を受信して必要となる時刻情報を取得し、腕時計が有する計時手段が計時する時刻を修正する技術が提案されている（例えば、特許文献１参照）。
【０００３】
このように、基地局から送信される電波を受信し、受信装置側で必要なデータ信号を取得する場合、ＲＦ信号を受信するための受信回路や、受信したＲＦ信号からデータ信号を復調するための復調回路などを動作するために、少なからず電力を消費する。このとき、受信装置が、例えば腕時計のようにコイン形電池やボタン形電池などといった電池を電源とする受信装置である場合、データ信号の受信に伴う電力の消費によって電池寿命が短くなってしまうという課題がある。
【０００４】
従って、このような電池を電源とする受信装置において、低消費電力化は不可欠であることから、消費電力を抑制する技術が種々提案されている。例えば、特許文献２には、受信タイミング内での全ての誤り訂正単位での誤り訂正結果が良好になり、かつ受信回数カウントにおいてまだ同一内容の意図による受信信号を受信するタイミングがあると判断した場合、残りの部分の受信信号の受信を不必要と判断して受信動作を制限し、消費電流の低減を図る技術が開示されている。
【０００５】
【特許文献１】特開２０００−３２１３８３号公報
【特許文献２】特開平７−１５４８３８号公報
【発明の開示】
【発明が解決しようとする課題】
【０００６】
しかしながら、特許文献２に開示された技術は、受信比率を改善することはできるものの、受信そのものにおける電流自身を低減するものではない。このため、電波を受信して必要なデータ信号を取得する場合、ＲＦ信号を受信するための受信回路や、受信したＲＦ信号からデータ信号を復調するための復調回路などを、継続動作するために消費される電力量を抑制するための技術ではなかった。また、特許文献１には、受信に関して消費電力量を抑制する観点での技術は開示されていない。
【０００７】
本発明は、このような電波の受信時における電力の消費によって電池寿命が短くなってしまうという課題に鑑みてなされたもので、電波の受信に伴う消費電力量を抑制することができる受信技術を提供して、このような課題を解決するものである。
【課題を解決するための手段】
【０００８】
上記課題を解決するための手段として、本発明は以下の構成をとった。
【０００９】
「構成１」取得対象の情報データを含む電波を受信する受信部と、前記受信した電波から、前記情報データを取得する取得部と、前記取得部が前記情報データを取得できたか否かを判定する取得判定部と、前記受信部が消費する消費電力量を、通常値又は当該通常値よりも少ない低電力値のいずれかに制御する電力制御部と、を備え、前記電力制御部は、前記消費電力量を前記低電力値に制御したのち、前記受信部による受信において、前記取得判定部が前記情報データを取得できなかったと判定したとき、前記受信部による次回の受信において、前記消費電力量を前記通常値に制御することを特徴とする。
【００１０】
この構成によれば、取得対象の情報データを取得するための電波受信において、まず消費電力量が少ない低電力値にて受信を行う。そして、受信の結果、情報データが取得できない場合、情報データを取得するための次回の受信において、消費電力量を通常値にして受信を行う。例えば、受信装置が基地局から近くに存在し、送信電波が強い場合は、受信部の消費電力量を抑制しても受信状態が良好な場合がある。このような場合、少ない消費電力量であっても情報データを取得することができる。そして、受信状態が良好でなく情報データを取得できなければ、受信部の消費電力量を元の通常値に戻して受信するので、情報データをほぼ確実に取得することができる。従って、低電力値の消費電力量にて受信できる場合が多ければ多いほど、消費電力量は抑制され、電池寿命が短くなることが抑制される。
【００１１】
「構成２」構成１に記載の受信装置であって、前記受信部は、前記取得判定部が前記情報データを取得できなかったと判定したとき、前記通常値の消費電力量による前記次回の受信を、前記低電力値の消費電力量による前記受信に継続して行うこととしてもよい。
【００１２】
この構成によれば、低電力値の消費電力量での受信では情報データが取得できない場合、継続して通常値の消費電力量による電波の受信を行うので、電波の受信時において、取得対象の情報データをほぼ遅延なく確実に取得することが可能となる。
【００１３】
「構成３」構成１または２に記載の受信装置であって、前記電力制御部は、前記受信部による受信において、前記取得判定部が前記情報データを取得できなかったと判定する回数が、前記低電力値を用いた前記受信部が消費する消費電力量の合計が前記通常値を超えない最多回数より１回少ない回数まで、連続して前記低電力値に制御することとしてもよい。
【００１４】
この構成によれば、低電力値による受信の連続回数によって消費される総電力量は、通常値による受信１回分の消費電力量に対して、少なくとも低電力値での受信回数１回分少ない消費電力量となる。このとき、この連続受信の１つ前に行われた１回の受信が、低電力値による受信であって情報データが取得されている場合は、この１回分の低電力値の消費電力を合計した消費電力量は、通常値による受信１回分の消費電力量とほぼ同じかこれ以下の消費電力量となる。従って、情報データを２回取得するために消費される消費電力量は、通常値による受信を２回行った場合の消費電力量とほぼ同じになる。すなわち、低電力値による受信を行えば、通常値による受信を２回行う消費電力量とほぼ同じ消費電力量で、通常値による受信回数以上の回数受信することができることになる。そして、この低電力値による連続受信回数の途中において情報データが取得されれば、以降の低電力値による受信や通常値による受信を行う必要がないので、情報データを取得するための電波受信において消費電力量を抑制することが可能となる。
【００１５】
「構成４」構成１ないし３のいずれか一つに記載の受信装置であって、前記電力制御部は、前記受信部による受信において、前記通常値に対する前記低電力値の比を、整数比に設定することが好ましい。
【００１６】
この構成によれば、低電力値の消費電力量による整数回分の消費電力量の合計は、通常値の消費電力量と同じになる。従って、通常値の消費電力量を超えない範囲で、低電力値の消費電力量による受信回数を最多にできるので、低電力値の消費電力量による時刻情報の受信を最多回数で行うことができる。この結果、低電力値の消費電力量での受信において時刻情報を取得できる確率が高くなり、この高くなった確率に応じて、消費電力量が抑制される。
【００１７】
「構成５」構成１ないし４のいずれか一つに記載の受信装置であって、前記電力制御部は、前記受信部が消費する電流値を変更することによって、前記通常値の消費電力量と前記低電力値の消費電力量とを制御することとしてもよい。
【００１８】
この構成によれば、低電力値の消費電力量は、電流値を抑制することによって得られるので、例えば乾電池を電源とする受信装置において、乾電池からの出力電流が抑制されることになる。この結果、乾電池の内部抵抗等に起因して生ずる電池の電圧降下量が抑制されるので、電池電圧が受信装置の動作保証電圧を下回るまでの時間を長くすることができる。従って、電池寿命が短くなることを抑制することが可能となる。
【００１９】
「構成６」構成１ないし５のいずれか一つに記載の受信装置であって、前記取得対象の情報データは標準時刻を表す情報データであることが好ましい。
【００２０】
この構成によれば、例えば、受信装置が有する計時手段の計時時刻を、受信した標準時刻に基づいて修正させることが可能となり、受信装置が有する表示手段にほぼ正確な時刻を表示せることが可能となる。
【００２１】
「構成７」本発明を、構成６に記載の受信装置を有する電波時計とすることもできる。
【００２２】
この構成において、電波時計が、例えばコイン形やボタン形の電池といった小型の電池を電源として用いる腕時計であった場合、標準時刻を受信するときの消費電力量を抑制して電池寿命が短くなることを抑制するので、さらに好適である。
【００２３】
「構成８」本発明の手段を受信方法として構成することもできる。すなわち、取得対象の情報データを含む電波を受信する受信工程と、前記受信した電波から、前記情報データを取得する取得工程と、前記取得工程で前記情報データを取得できたか否かを判定する取得判定工程と、前記受信工程で消費する消費電力量を、通常値又は当該通常値よりも少ない低電力値のいずれかに制御する電力制御工程と、を備え、前記電力制御工程は、前記消費電力量を前記低電力値に制御したのち、前記受信工程による受信において、前記取得判定工程が前記情報データを取得できなかったと判定したとき、前記受信工程による次回の受信において、前記受信工程の消費電力量を前記通常値に制御することを特徴とする。
【００２４】
この受信方法によれば、上述した本発明の受信装置と同様の作用効果を得ることができる。なお、この受信方法は、上述した種々の構成を有する受信装置において実行すべく必要な工程を追加してもよい。
【発明を実施するための最良の形態】
【００２５】
本発明の実施形態の一例として、腕時計における時刻修正について説明する。
図１は、腕時計１が、取得対象の情報データとしての時刻情報を受信する仕組みを示す模式図である。図示するように、基地局３では、日本標準時間などの正確な時刻情報３０を含む情報データを、変調部３１によって所定の無線周波数（ＲＦ）信号に変調し、定められた時間間隔でこのＲＦ信号を電波として基地局３から送信する。腕時計１では、バンド部分を含んで腕時計１のいずれかの部分に設けられたアンテナ（不図示）を介して、送信される電波を受信したのち、変調された情報データを復調部１１によって復調し、復調された情報データから取得対象の情報データである時刻情報３０を取得する。そして、取得された時刻情報３０に基づいて、表示手段４に表示する時刻を正しい時刻に修正する処理が行われる。本実施形態では、このように腕時計１の表示手段４に表示される時刻を、ＲＦ信号に含まれる時刻情報に従って修正する場合を想定する。具体的には、例えばＣＤＭＡ（Code  Division  Multiple  Access：符号分割多重接続）基地局から送信される電波を受信して時刻修正する場合である。周知のように、ＣＤＭＡ基地局からは、正確な時刻情報を含むデータ情報が、所定の符号を乗算して拡散され、符号化されたＲＦ信号の電波として、一定時間間隔で送信される。なお、ＣＤＭＡ基地局から送信される電波について、符号化や送信方法などは本発明の本質ではないので、ここではその説明を省略する。
【００２６】
次に、本実施形態の腕時計１について、その機能ブロック構成を図２を用いて説明する。腕時計１には、図示するような機能ブロックが構成されている。受信部１０は、時刻情報３０を含み一定時間間隔で送信される符号化されたＲＦ信号を、アンテナを介して受信する。復調部１１は、受信されたＲＦ信号に対して所定の信号処理を行って情報データを復調する。時刻情報取得部１２は、復調された情報データから時刻情報を取得する。表示部１４は、取得された時刻情報によって修正した正確な時刻を表示手段４に表示する。取得判定部１５は、時刻情報取得部１２が時刻情報を取得したか否かを判定し、電源制御部１６に対して判定結果に応じた制御信号を送信する。電源制御部１６は、受信部１０が消費する消費電力量を、制御信号に基づいて通常値又は通常値よりも所定量少ない低電力値のいずれかに制御する。
【００２７】
これらの機能ブロックは、腕時計１に内蔵された図示しない中央演算処理回路や記憶回路などを含む電気回路によって構成されている。電気回路は、基板上に実装された半導体や電子部品などによって形成され、同じく腕時計１内に収納された充電池などの２次電池や、コイン形電池やボタン形電池などの一次電池を電源として動作する。そして、中央演算処理回路が、記憶回路に格納された制御プログラムに従って、適宜記憶回路にデータを記録したり読み出したりしながら処理を行うことによって、腕時計１における各機能ブロックとして機能する。
【００２８】
表示手段４に表示する時刻を計時する計時手段（不図示）は、本実施形態では水晶振動子の発振周波数を用いて時間を計測するように構成された計時手段であるものとする。もとより、水晶振動子以外の発振子を用いてもよいし、ＣＲ発振のような電気素子を組み合わせた発振回路を用いてもよい。さらに、時間を示す数を計数するカウンタであってもよい。
【００２９】
さて、このように構成された各機能ブロックは、図５のフローチャートに示す処理に従って時刻情報３０の受信動作を行うことによって、時刻情報を確実に取得するとともに電池寿命が短くなることを抑制するのである。そこで、図５に示した処理についての理解を容易にするため、この処理によってどのように電池寿命が短くなることが抑制されるのかについて、図３および図４を用いて先に説明する。
【００３０】
図３（ａ）は、腕時計１において、通常行われる時刻情報の受信動作を示し、図３（ｂ）は、後述する図５のフローチャートに示した処理による受信動作を示す説明図である。なお横軸は時間軸を示している。本実施形態では、一例として１時間毎に時刻情報の受信動作が行われるものとする。従って、図３（ａ），（ｂ）では、時刻情報の取得のための受信のうち、現在の受信と、この現在の受信を基点にして１時間後に行われる次回の受信との都合２回の受信において、それぞれ消費される電力量の様子を示している。
【００３１】
まず、通常行われる時刻情報の取得のための受信時では、図３（ａ）に示すように、電源制御部１６は、受信部１０に対して、毎回１８ミリアンペア（ｍＡ）の電流を３００ミリ秒（ｍＳ）間流すように制御するものとする。通常ＣＤＭＡの電波に含まれる時刻情報を受信する場合は、説明は省略するが、シンクチャンネルメッセージの繰り返し時間に応じた所定期間受信する必要があり、従って電流を流す時間は、ここでは１回の受信あたり常に３００ｍＳとする。また、このとき、受信部１０に印加される電圧は、所定の回路によって生成された２ボルト（Ｖ）の定電圧であるものとする。もとより、電流値や電流を流す期間、および受信部１０に印加する電圧値は一例として設定したものであり、これに限定されるものでないことは勿論である。
【００３２】
従って、現在の受信時および次回の受信時のそれぞれ１回の受信時に、２Ｖ×１８ｍＡ×３００ｍＳ（＝１０．８ミリワット秒（ｍＷＳ））の電力量が、通常値の消費電力量として消費される。この結果、現在の受信時と次回の受信時の２回の受信時において消費されるトータル電力量は、図中右側に示したように、この２倍の値２１．６ｍＷＳ（＝２Ｖ×１８ｍＡ×６００ｍＳ）となる。
【００３３】
これに対して、図３（ｂ）では、電源制御部１６は、受信部１０に対して、まず現在の受信時に９ミリアンペア（ｍＡ）の電流を３００ミリ秒（ｍＳ）間流すように制御する。従って、現在の受信時において、２Ｖ×９ｍＡ×３００ｍＳ（＝５．４ミリワット秒（ｍＷＳ））の電力量が、低電力値の消費電力量として消費される。なお、この低電力値の消費電力量による受信によって時刻情報が取得できる取得確率を１／２と想定し、このときの受信において時刻情報は取得できたものとする。
【００３４】
そして、これに続く１時間後の受信となる次回の受信時では、まず最初に、同じく２Ｖ×９ｍＡ×３００ｍＳ（＝５．４ｍＷＳ）の低電力値となる消費電力量で受信が行われる。このときは、取得確率から時刻情報は受信できないことになる。従って、この次回の受信時において時刻情報を確実に取得するべく、図示するように低電力値の消費電力量による受信に継続して通常値の消費電力量（２Ｖ×１８ｍＡ×３００ｍＳ）による受信を行うのである。
【００３５】
この結果、図３（ｂ）に示した次回の受信時において、低電力値の消費電力量と通常値の消費電力量との合計値が消費されるものの、これらの消費電力量と、この前の受信である現在の受信にて消費される消費電力量とのトータル電力量は、図中右側に示したように、通常値の消費電力量による２回の受信時に消費されるトータル電力量と同じ電力量に収まる。
【００３６】
ところで、電池寿命は、前述したように電池電圧が動作保証電圧以下に降下した状態になることによって生ずる。そして、この電圧降下は、電池から出力された消費電力量の累積量に加えて、電池からの出力電流が大きければ大きいほど早く降下することが知られている。
【００３７】
一例として、電子機器等に多く用いられるコイン形二酸化マンガンリチウム電池（例えばＣＲ２０３２）では、電池製造者から多くの資料が開示され、ほぼ図４に示したような放電特性を示す。つまり抵抗値の大きさがＲ１＜Ｒ２＜Ｒ３である放電抵抗値Ｒ１，Ｒ２，Ｒ３によって電池を放電させると、それぞれ図４に示したような放電特性を示すのである。なお、横軸は放電時間、縦軸は電池の電圧（Ｖ）を示している。
【００３８】
図示するように、放電抵抗値が小さいほど、つまり電池からの出力電流が大きいほど、電池電圧は早く電圧降下が生ずることが判る。特に、電池電圧が動作保証電圧（例えば２．５Ｖ）近くまで降下している場合は、大きな電流が流れると、流れる期間が短くても、電池の内部抵抗によって大きな電圧降下が生ずるため、電池電圧が動作保証電圧以下になる可能性が高くなってしまう。従って、出力される消費電力量が同じであっても、電池からの出力電流値を小さくすれば、電池の電圧降下を抑制して電池寿命を延命させるこができることになるのである。
【００３９】
さて、通常値の消費電力量による受信では、図３（ａ）に示したように、１８ｍＡの電流を流す期間は合計６００ｍＳであるのに対して、低電力値の消費電力量による受信では、図３（ｂ）に示したように、１８ｍＡの電流を流す期間は３００ｍＳに抑制されている。従って、低電力値の消費電力量による受信によって大きな電流が流れる期間を少なくしているので、このような電池の電圧降下特性から、電池電圧の降下を抑制することができることになる。つまり、低電力値の消費電力量による２回の受信時において、消費されるトータル電力量は通常値の消費電力量と同じであるものの、大きな電流が流れる期間を短くしていることから、電池寿命が短くなることを抑制することができるのである。
【００４０】
それでは、上述したように、本実施形態の腕時計１において消費電力を抑制した時刻情報の受信方法について、図５のフローチャートを用いて説明する。なお、本実施形態では、腕時計１の使用者が、図示しない所定の入力ボタンを操作して、受信の開始命令を入力することによってここでの処理が開始されるものとする。もとより、予め定められた時間に自動で開始されることとしてもよい。
【００４１】
こうして、腕時計１にてＲＦ信号の受信が開始されると、まずステップＳ１にて、受信部１０が消費する通常値の消費電力量を設定する処理を行う。具体的には、通常値の消費電力量として、電流値と、この電流値を流す期間が、予め腕時計１内の記憶回路に格納され、中央演算回路がこの値を読み出すことによって設定する。ちなみに本実施形態では電流値は１８ｍＡで、３００ｍＳの期間が格納されている。なお、受信部１０に印加される電圧は、所定の電圧回路によって生成され、ここでは２Ｖであるものとする。
【００４２】
次に、ステップＳ２にて、低電力値の消費電力量を設定する処理を行う。本実施形態では、受信部１０が消費する受信時の低電力値は、通常値としての電流値を予め定められた整数で除した値であるものとする。つまり、電流値によって消費電力量を抑制するのである。そして本実施形態では、２回の受信のうち１回は時刻情報が取得できると想定し、予め定められた値として整数「２」がデフォルト値として記憶回路に格納されているものとする。そして、中央演算回路がこのデフォルト値を読み出し、通常値としての電流値をこのデフォルト値で除して設定する。従って、通常値としての電流値の半分の値となる電流値が低電力値として設定される。
【００４３】
次に、ステップＳ３にて、低電力値での連続受信回数ｋを決定する処理を行う。具体的には、通常値の消費電力量を低電力値の消費電力量で除した値を連続回数として決定する。これは、決定された連続回数低電力値の消費電力量で受信しても、トータルの消費電力量は、通常値の消費電力量による１回分の受信で消費される電力量を超えないようにするのためである。もとより本実施形態では、ステップＳ２において用いられたデフォルト値「２」と同一であるので、ｋ＝２（回）となる。
【００４４】
次に、ステップＳ４にて受信回数を示す値ｎを１とし、ステップＳ５にて、低電力値の消費電力量で受信処理を行う。そして、続くステップＳ６にて、時刻情報を取得できたか否かを判定処理する。
【００４５】
判定の結果、取得できた場合は（ＹＥＳ）、ステップＳ１１に進む。一方取得できなかった場合は（ＮＯ）、ステップＳ７にてｎに「１」を加算処理し、続くステップＳ８にて、ｎが「ｋ−１」より大きいか否かを判定処理する。
【００４６】
判定の結果、ｎが「ｋ−１」より大きくない場合は（ＮＯ）、次回受信を行っても受信回数の合計が連続回数を超えないので、ステップＳ９にて、低電力値の消費電力量で直ちに受信処理を行い、時刻情報を継続して受信する。そして前述したステップＳ６以降の処理を繰り返す。
【００４７】
一方、判定の結果、ｎが「ｋ−１」より大きい場合は（ＹＥＳ）、次回の受信を行ったときの受信回数の合計が連続回数と同じになるため、ステップＳ１０にて、通常値の消費電力量で直ちに受信処理を行う。こうすることで、時刻情報を継続して受信するとともに確実に時刻情報を受信する。
【００４８】
そして、ステップＳ１１にて、時刻情報の受信を終了するか否かを判定処理する。本実施形態では、腕時計１の使用者が、図示しない所定の入力ボタンを操作して、受信を終了するか否かを示すデータを記憶回路に格納し、中央演算回路が格納されたデータを読み出して判定する。そして、判定の結果、受信を継続する場合は（ＮＯ）、ステップＳ４に戻って受信回数ｎの値を「１」にして、ステップＳ５からステップＳ１０までの処理を繰り返し、時刻情報の受信を行う。一方、受信を終了する場合は（ＹＥＳ）、この時刻情報の受信処理を終了する。
【００４９】
ところで、本実施形態では、ｋ＝２であるので、図３（ｂ）にて説明したように、低電力値の消費電力による１回目の受信で時刻情報が取得できなかった場合は、直ちに通常値の消費電力による受信が行われる。従って、低電力値の消費電力による１回目の受信において時刻情報が取得できない場合が生じても、直ちに通常値の消費電力の受信を行うので、時刻情報を取得する時間は遅れる（図３（ｂ）では３００ｍＳ）ものの、確実に時刻情報を取得することができる。当然ながら、この程度の遅れは使用者に違和感を与えるものではない。もとより、低電力値の消費電力による１回目の受信で、時刻情報が取得できる場合は、時刻情報を取得できる時間の遅れは生じない。
【００５０】
上述したように、図５のフローチャートに示した時刻情報の受信方法によれば、毎回の時刻情報の受信時において、確実に時刻情報を取得するとともに、受信部１０に大きな電流を流す期間を短くすることができる。従って、前述したように電池寿命が短くなることを抑制することが可能となる。
【００５１】
以上、本発明について、一実施形態を用いて説明したが、本発明はこうした実施形態に何ら限定されるものではなく、本発明の趣旨を逸脱しない範囲内において様々な形態で実施し得ることは勿論である。以下変形例を挙げて説明する。
【００５２】
（変形例）
上記実施形態では、２回の受信のうち１回は時刻情報が取得できることを想定し、予め定められた値として整数「２」がデフォルト値として記憶回路に格納されているものとしたが、変形例として、さらに取得確率を低くした場合を想定した受信方法としてもよい。こうすれば、さらに流す電流値の大きさを小さくすることができ、電池寿命を延命させることが期待できる。一例として、３回の受信のうち１回は時刻情報が取得できることを想定した受信方法とした場合について、図６を参照して説明する。
【００５３】
図６（ａ）は、図３（ａ）と同様、腕時計１において通常行われる時刻情報の受信動作を示し、図６（ｂ）は、本変形例における時刻情報の受信動作を示す説明図である。なお横軸は時間軸を示している。本変形例でも、１時間毎に時刻情報の受信動作が行われるものとする。従って、図６（ａ），（ｂ）は、現在の受信と、この現在の受信を基点にして１時間後に行われる次回の受信との都合２回の受信が、時刻情報を取得するために行われるとき、それぞれの受信時において消費される電力量の様子を示している。
【００５４】
まず、図６（ａ）に示した通常行われる時刻情報の受信時では、図３（ａ）と同様に、電源制御部１６は受信部１０に対して、印加電圧は２Ｖであって毎回１８ミリアンペア（ｍＡ）の電流を３００ミリ秒（ｍＳ）間流すように制御するものとする。従って、現在の受信時および次回の受信時のそれぞれ１回の受信時に、２Ｖ×１８ｍＡ×３００ｍＳ（＝１０．８ミリワット秒（ｍＷＳ））の電力量が、通常値の消費電力量として消費される。この結果、現在の受信時と次回の受信時の２回の受信時において消費されるトータル電力量は、図中右側に示したように、この２倍の値２１．６ｍＷＳ（＝２Ｖ×１８ｍＡ×６００ｍＳ）となる。
【００５５】
これに対して、図６（ｂ）では、電源制御部１６は、受信部１０に対して、まず現在の受信時に６ミリアンペア（ｍＡ）の電流を３００ミリ秒（ｍＳ）間流すように制御する。従って、現在の受信時において、２Ｖ×６ｍＡ×３００ｍＳ（＝３．６ミリワット秒（ｍＷＳ））の電力量が、低電力値の消費電力量として消費される。なお、この低電力値の消費電力量による受信によって時刻情報が取得できる取得確率を１／３と想定し、この現在の受信時において時刻情報は取得できたものとする。
【００５６】
そして、これに続く１時間後の次回の受信時では、まず最初に、同じく２Ｖ×６ｍＡ×３００ｍＳ（＝３．６ｍＷＳ）の低電力値となる消費電力量で受信が行われる。このときは、取得確率から時刻情報は受信できないことになる。従って、次回の受信も、同じく２Ｖ×６ｍＡ×３００ｍＳ（＝３．６ｍＷＳ）の低電力値となる消費電力量での受信が直ちに行われる。
【００５７】
そして、直ちに行われた低電力値の消費電力量での受信においても、取得確率から時刻情報は取得されないことになるので、この次回の受信時において時刻情報を確実に取得するために、図示するように直ちに通常値の消費電力量による受信を行うのである。
【００５８】
この結果、図６（ｂ）に示した次回の受信時においては、低電力値の消費電力量と通常値の消費電力量とを合計した電力量が消費されるものの、これらの消費電力量と、この前の受信である現在の受信にて消費される消費電力量とのトータル電力量は、図中右側に示したように、通常値の消費電力量による２回の受信時に消費されるトータル電力量と同じ電力量に収まる。従って、消費電力量の差異に起因する電池寿命への影響は小さいと考えられる。
【００５９】
一方、図６（ａ）に示したように、通常値の消費電力量による受信では、１８ｍＡの電流を流す期間は合計６００ｍＳであるのに対して、図６（ｂ）に示したように、低電力値の消費電力量による受信では、１８ｍＡの電流を流す期間は３００ｍＳに抑制されている。さらに、低電力値の消費電力量による受信時において、上記実施形態では、図３（ｂ）に示したように９ｍＡの電流を流すのに対して、本変形例では、図６（ｂ）に示したように、これよりも値の小さい６ｍＡの電流を流すことになる。
【００６０】
従って、低電力値の消費電力量による受信回数をさらに１回増やすことで、消費されるトータル電力量は変わらないが、９ｍＡから６ｍＡへと流れる電流値の大きさを小さく抑えることができる。この結果、前述したように、大きな出力電流が流れる期間が少ないほど電池電圧の降下を抑制することができることから、電池寿命が短くなることを抑制することが期待できる。
【００６１】
なお、本変形例についての処理は、図５に示したフローチャートにおいて、ステップＳ２にて用いるデフォルト値を「３」（従ってｋ＝３）とすれば、図５に示したフローチャートの処理と基本的に同じである。従って、本変形例での処理については、図５と同様であるので、説明を省略する。
【００６２】
ところで、上記実施形態および変形例では、低電力値の消費電力量による時刻情報の受信処理において、低電力値の消費電力量による連続受信回数の逆数を、時刻情報が取得できる取得確率であると想定して説明した。従って、実際に時刻情報を取得するときの電波の受信状況に依存して、上記実施形態および変形例の説明において想定した取得確率が、実際の取得確率と異なる状況が発生する場合がある。
【００６３】
ここで、想定した取得確率よりも実際の取得確率が低い場合は、低電力値の消費電力量による受信後、継続して通常値の消費電力量による受信が行われる場合が高頻度に発生することになる。従って、トータル電力量は増加し、電池寿命を逆に短くしてしまう虞がある。これに対して、想定した取得確率よりも実際の取得確率が高い場合は、低電力値の消費電力量による受信のみが高頻度に発生するため、トータル電力量は減少し、かつ大きな電流を流す通常値の消費電力量での受信が行われないので、電池寿命をより効果的に延命させることができる。
【００６４】
このような２つの場合を鑑みることで判るように、想定した取得確率がおおよそ得られる電波受信状況であれば、上記実施形態および変形例による受信方法によって電池寿命が短くなることを抑制する確率が高くなる。さらに、想定した取得確率以上の確率が得られる電波受信状況下であれば、さらに電池寿命の短命化を抑制することができるのである。
【００６５】
（その他の変形例）
上記実施形態あるいは変形例では、図５のステップＳ２において、時刻情報の受信時に受信部１０が消費する低電力値を、通常値としての電流値を予め定められた整数で除した値であるものとしたが、これに限るものでないことは勿論である。例えば、ステップＳ２において、低電力値の消費電力量を、通常値の消費電力量に対する所定割合（例えば４０％）として設定することとしてもよい。こうすれば、ステップＳ３にて決定される低電力値での連続受信回数ｋによる消費電力のトータル電力量は、通常値の消費電力量よりも少なくなる確率が高くなるので、電池寿命が短くなることをさらに抑制することができる。
【００６６】
また、上記実施形態あるいは変形例では、ＣＤＭＡ基地局から送信されるデータ信号を受信するものとして説明したが、これ以外に、例えば電波時計における時刻情報のデータ受信などのように、予め定められた時間間隔で送信されるデータ信号を受信するものとしてもよい。
【００６７】
また、上記実施形態あるいは変形例では、腕時計において時刻情報を受信するものとして説明したが、これ以外に、例えば懐中時計のような小型で携帯可能な時計において時刻情報を受信するものとしてもよい。もとより、一次電池や２次電池を電源とし、電池サイズを大きくすることが好ましくない小型の電子機器（例えば携帯電話）において、時刻情報を受信するものとしても勿論よい。
【図面の簡単な説明】
【００６８】
【図１】本発明の一実施形態となる腕時計において、時刻情報の受信の仕組みを示す模式図。
【図２】本実施形態の腕時計について、その機能構成を示す機能ブロック図。
【図３】（ａ）は通常行われる時刻情報の受信動作を示す説明図、（ｂ）は本実施形態による時刻情報の受信動作を示す説明図。
【図４】腕時計に用いられる電池の放電特性の一例を示す特性図。
【図５】本実施形態の腕時計にて行われる受信方法を示す処理フローチャート。
【図６】（ａ）は通常行われる時刻情報の受信動作を示す説明図、（ｂ）は変形例となる時刻情報の受信動作を示す説明図。
【符号の説明】
【００６９】
１…腕時計、３…基地局、４…表示手段、１０…受信部、１１…復調部、１２…時刻情報取得部、１４…表示部、１５…取得判定部、１６…電源制御部、３０…時刻情報、３１…変調部。
【図１】
2008275493.tif 000003
【図２】
2008275493.tif 000004
【図３】
2008275493.tif 000005
【図４】
2008275493.tif 000006
【図５】
2008275493.tif 000007
【図６】
2008275493.tif 000008